(57)【要約】【課題】部品点数を増やすことなくスプリングの弾性力により移動体が第１の位置に移動する際に発生する衝突音を減少させること。【解決手段】  ねじりスプリング２０は、第２の位置（ロ）において、コイル部２００２の内周とピン２２の外周との間で、かつ、ピン２２の直径方向で第１の位置（イ）から第２の位置（ロ）に向かう方向に位置する箇所に隙間Ｓ１が形成されている。第２の位置（ロ）から第１の位置（イ）への移動時に、録音ボタン１２の係止壁１２１０が、隙間Ｓ１が位置するコイル部２００２の部分２００２Ａに当接し、ねじりスプリング２０の弾性力に抗してコイル部２００２を変位させ、コイル部２００２の部分２００２Ａをピン２２の外周に当接させる。そして、係止壁１２１０がコイル部２００２の部分２００２Ａを介してピン２２に当接することで、録音ボタン１２はそれ以上移動できなくなる。【選択図】図１
2007010095.tif 000002
【特許請求の範囲】
【請求項１】
支持体と、
前記支持体に対して第１の位置と第２の位置との間で往復直線移動可能に設けられた移動体と、
前記移動体を前記第１の位置の方向に付勢するねじりスプリングとを備え、
前記ねじりスプリングは、コイル部と、前記コイル部の一端から延在する第１脚部と、前記コイル部の他端から延在する第２脚部とを有し、
前記支持体から突設されたピンが前記コイル部に挿入され、
前記ねじりスプリングは、前記第１脚部と前記第２脚部のうちの一方の脚部が前記移動体に係止して前記移動体を前記第１の位置に向けて付勢し、かつ、前記ピンの直径方向の両側の箇所のうち前記第１の位置から前記第２の位置に向かう方向における箇所において前記コイル部の内周と前記ピンの外周との間に隙間が形成されると共に、前記第２の位置から前記第１の位置に向かう方向における箇所において前記コイル部の内周と前記ピンの外周とが当接するように配設され、
前記移動体の前記第１の位置への移動時に、前記移動体の部分が前記隙間が位置する前記コイル部の部分に当接し前記ピンに対して前記コイル部を変位させ、前記コイル部の部分の内周を前記ピンの外周に当接させるように構成され、
前記ピンは前記移動体の前記第１の位置を決定するストッパとして機能する、
ことを特徴とする衝撃緩和構造。
【請求項２】
支持体と、
前記支持体に対して第１の位置と第２の位置との間で往復揺動可能に設けられた移動体と、
前記移動体を前記第１の位置の方向に付勢するねじりスプリングとを備え、
前記ねじりスプリングは、コイル部と、前記コイル部の一端から延在する第１脚部と、前記コイル部の他端から延在する第２脚部とを有し、
前記支持体から突設されたピンが前記コイル部に挿入され、
前記ねじりスプリングは、前記第１脚部と前記第２脚部のうちの一方の脚部が前記移動体に係止して前記移動体を前記第１の位置に向けて付勢し、かつ、前記ピンの直径方向の両側の箇所のうちの一方の箇所において前記コイル部の内周と前記ピンの外周との間に隙間が形成されると共に、他方の箇所において前記コイル部の内周と前記ピンの外周とが当接するように配設され、
前記移動体の前記第１の位置への揺動時に、前記移動体の部分が前記隙間が位置する前記コイル部の部分に当接し前記ピンに対して前記コイル部を変位させ、前記コイル部の部分の内周を前記ピンの外周に当接させるように構成され、
前記ピンは前記移動体の前記第１の位置を決定するストッパとして機能する、
ことを特徴とする衝撃緩和構造。
【請求項３】
前記第１脚部は前記移動体に係止され、前記第２脚部は、前記移動体とは別の移動体に係止され、あるいは、前記支持体に係止されていることを特徴とする請求項１記載の衝撃緩和構造。
【請求項４】
前記第１脚部は前記移動体に係止され、前記第２脚部は、前記支持体に係止されていることを特徴とする請求項１記載の衝撃緩和構造。
【発明の詳細な説明】
【技術分野】
【０００１】
本発明は衝撃緩和構造に関する。
【背景技術】
【０００２】
例えば、磁気テープを用いたオーディオ機器では、録音ボタンや、再生ボタン、ストップボタン、巻き戻しボタン、早送りボタンなどのような操作ボタンが、筐体の側面に一列に並べられて配置されている。
そして、それらの操作ボタンは、当初の突出した第１の位置と、押し込まれ没入した第２の位置との間で往復移動可能に配置され、第２の位置に位置した状態から、再度、押し込まれると、スプリングの弾性力により移動されストッパに当接することで第１の位置に復帰するように設けられている。
【０００３】
一方、録音ボタンは、この録音ボタンの押し込み操作に連動させて再生ボタンを同時に移動させ、ピンチローラやヘッドを移動させるため、録音ボタンの慣性は大きい。
【特許文献１】特開平１０−１４３９４９
【発明の開示】
【発明が解決しようとする課題】
【０００４】
そのため、スプリングの弾性力により録音ボタンが第１の位置へ復帰する際に、録音ボタンがストッパに当接すると、耳障りな大きな衝突音を発生する不具合があった。
このような不具合は、オーディオ機器の操作ボタンに限らず、第１の位置と第２の位置との間で往復直線移動や往復揺動し、スプリングの弾性力により第１の位置に移動する各種装置や機器の操作部材や開閉蓋などの移動体にも同様に生じている。
本発明はこのような事情に鑑みなされたものであり、その目的は、部品点数を増やすことなくスプリングの弾性力により移動体が第１の位置に移動する際に発生する衝突音を減少できる衝撃緩和構造を提供することにある。
【課題を解決するための手段】
【０００５】
上述の目的を達成するため本発明の衝撃緩和構造は、支持体と、前記支持体に対して第１の位置と第２の位置との間で往復直線移動可能に設けられた移動体と、前記移動体を前記第１の位置の方向に付勢するねじりスプリングとを備え、前記ねじりスプリングは、コイル部と、前記コイル部の一端から延在する第１脚部と、前記コイル部の他端から延在する第２脚部とを有し、前記支持体から突設されたピンが前記コイル部に挿入され、前記ねじりスプリングは、前記第１脚部と前記第２脚部のうちの一方の脚部が前記移動体に係止して前記移動体を前記第１の位置に向けて付勢し、かつ、前記ピンの直径方向の両側の箇所のうち前記第１の位置から前記第２の位置に向かう方向における箇所において前記コイル部の内周と前記ピンの外周との間に隙間が形成されると共に、前記第２の位置から前記第１の位置に向かう方向における箇所において前記コイル部の内周と前記ピンの外周とが当接するように配設され、前記移動体の前記第１の位置への移動時に、前記移動体の部分が前記隙間が位置する前記コイル部の部分に当接し前記ピンに対して前記コイル部を変位させ、前記コイル部の部分の内周を前記ピンの外周に当接させるように構成され、前記ピンは前記移動体の前記第１の位置を決定するストッパとして機能することを特徴とする。
また、本発明の衝撃緩和構造は、支持体と、前記支持体に対して第１の位置と第２の位置との間で往復揺動可能に設けられた移動体と、前記移動体を前記第１の位置の方向に付勢するねじりスプリングとを備え、前記ねじりスプリングは、コイル部と、前記コイル部の一端から延在する第１脚部と、前記コイル部の他端から延在する第２脚部とを有し、前記ねじりスプリングは、前記第１脚部と前記第２脚部のうちの一方の脚部が前記移動体に係止して前記移動体を前記第１の位置に向けて付勢し、かつ、前記ピンの直径方向の両側の箇所のうちの一方の箇所において前記コイル部の内周と前記ピンの外周との間に隙間が形成されると共に、他方の箇所において前記コイル部の内周と前記ピンの外周とが当接するように配設され、前記移動体の前記第１の位置への揺動時に、前記移動体の部分が前記隙間が位置する前記コイル部の部分に当接し前記ピンに対して前記コイル部を変位させ、前記コイル部の部分の内周を前記ピンの外周に当接させるように構成され、前記ピンは前記移動体の前記第１の位置を決定するストッパとして機能することを特徴とする。
【発明の効果】
【０００６】
本発明によれば、移動体の移動時に、移動体の部分がコイル部に当接し、スプリングの弾性力に抗してコイル部を変位させる。
そして、コイル部の内面がピンの外面に当接し、移動体が第１の位置となる。
したがって、移動体の部分がコイル部を変位させることで衝撃が緩和され、クッション材などの部品点数を増やすことなく、コイル部の内面とピンの外面との衝突音を減少でき、第１の位置へ移動する際の移動体の衝突音を減少できる。
また、移動体が往復揺動するものにあっては、第１の位置に移動する際に、移動体の部分がコイル部を変位させることで移動体の揺動速度が急激に減速され、移動体の動きに落ち着いた高級感を与えることができる。
【発明を実施するための最良の形態】
【０００７】
（第１の実施の形態）
まず、本発明をテープレコーダのカセットデッキ機構における録音ボタンに適用した第１の実施の形態について説明する。
図１は録音ボタンおよび再生ボタンが第１の位置に位置している状態の平面図、図２は録音ボタンおよび再生ボタンが第２の位置に位置している状態の平面図を示す。
図１、図２に示すように、移動体である録音ボタン１２および再生ボタン１４は、支持体であるフレーム１６上において、筐体の表面１８から突出した第１の位置（イ）と、第１の位置（イ）から押し込まれ没入した第２の位置（ロ）との間で往復直線移動可能に配置されている。
より詳細には、それら操作ボタン１２、１４は、第１の位置（イ）から第２の位置（ロ）に押し込まれると第２の位置（ロ）でロックされ、再度、押し込まれるとロックが解除され、ねじりスプリング２０の弾性力により第１の位置（イ）に復帰するように設けられている。
そして、録音ボタン１２は、この録音ボタン１２の押し込み操作に連動させて係止壁１２１０を介して再生ボタン１４を同時に移動させ、不図示のピンチローラやヘッドを移動させるため、カセットデッキ機構において録音ボタン１２の慣性は大きい。
【０００８】
録音ボタン１２および再生ボタン１４は、ねじりスプリング２０により第１の位置（イ）に付勢されている。
ねじりスプリング２０は、コイル部２００２と、コイル部２００２の一端から延在する第１脚部２００４と、コイル部２００２の他端から延在する第２脚部２００６とを有している。
フレーム１６からピン２２が突設され、このピン２２はコイル部２００２に挿入されている。
ねじりスプリング２０の第１脚部２００４は、録音ボタン１２の背面の係止部１２０２に係止され、第２脚部２００６は、再生ボタン１４の背面の係止部１４０２に係止され、これにより録音ボタン１２および再生ボタン１４はねじりスプリング２０（コイル部２００２）の弾性力により第１の位置（イ）に向けて付勢されている。
【０００９】
図２に示すように、ねじりスプリング２０は、第２の位置（ロ）において、コイル部２００２の内周とピン２２の外周との間に隙間が確保されるように構成されている。
本実施の形態では、コイル部２００２の内周とピン２２の外周との間で、かつ、ピン２２の直径方向で第１の位置（イ）から第２の位置（ロ）に向かう方向に位置する箇所に隙間Ｓ１が形成され、ピン２２の直径方向で第２の位置（ロ）から第１の位置（イ）に向かう方向に位置する箇所では隙間Ｓ２がゼロとなり、コイル部２００２の内周とピン２２の外周とが当接するように構成されている。
【００１０】
また、図１に示すように、第２の位置（ロ）から第１の位置（イ）への移動時に、録音ボタン１２の係止壁１２１０が、隙間Ｓ１が位置するコイル部２００２の部分２００２Ａに当接し、ねじりスプリング２０の弾性力に抗して隙間Ｓ１をなくす方向にコイル部２００２を変位させ、コイル部２００２の部分２００２Ａをピン２２の外周に当接させるように構成されている。
そして、係止壁１２１０がコイル部２００２の部分２００２Ａを介してピン２２に当接することで、録音ボタン１２はそれ以上第２の位置（ロ）から第１の位置（イ）方向に向けて移動できなくなる。
したがって、係止壁１２１０がコイル部２００２の部分２００２Ａを介してピン２２に当接することで録音ボタン１２の第１の位置（イ）が決定され、ピン２２は録音ボタン１２の第１の位置（イ）を決定するストッパとして機能する。
なお、録音ボタン１２が第１の位置（イ）に位置すると、コイル部２００２の内周とピン２２の外周との間で、かつ、ピン２２の直径方向で第２の位置（ロ）から第１の位置（イ）に向かう方向に位置する箇所に隙間Ｓ２が生じる。
【００１１】
本実施の形態によれば、録音ボタン１２の第１の位置（イ）への復帰時に、録音ボタン１２の係止壁１２１０が、隙間Ｓ１が位置するコイル部２００２の部分２００２Ａに当接し、ねじりスプリング２０の弾性力に抗してコイル部２００２をピン２２の直径方向に変位させ、コイル部２００２の部分２００２Ａをピン２２の外周に当接させて録音ボタン１２が第１の位置（イ）となる。
したがって、録音ボタン１２の係止壁１２１０がねじりスプリング２０の弾性力に抗してコイル部２００２を変位させることで、録音ボタン１２の第１の位置（イ）への復帰時の衝撃が緩和される。
すなわち、録音ボタン１２を第１の位置（イ）へ復帰させるためのねじりスプリング２０を利用することで、クッション材などのような衝撃緩衝材を設けることなく衝撃を緩和でき、したがって、カセットデッキ機構において何ら部品点数を増やすことなく録音ボタン１２の第１の位置（イ）への復帰時の衝突音を減少できる。
【００１２】
なお、第１の実施の形態では、第１脚部２００４と第２脚部２００６は、共に移動体である録音ボタン１２および再生ボタン１４に係止している場合について説明したが、第２脚部２００６はフレーム１６に係止されていてもよい。
【００１３】
（第２の実施の形態）
次に、オーディオ機器のＣＤ挿入口を開閉する蓋板に適用した第２の実施の形態について説明する。
図３は蓋板を開けＣＤ挿入口を開放させた全開状態の側面図、図４は蓋板でＣＤ挿入口を閉じた全閉状態の側面図を示す。
図３、図４に示すように、移動体である蓋板３０は、ＣＤ挿入口を構成する開口部３２上において、支持体であるフレーム３４に支軸３６を支点に揺動可能に支持されている。
より詳細には、蓋板３０を全閉位置（ロ）に揺動させると全閉状態にロックされ、この状態で蓋板３０の揺動先端を押し込むとロックが解除され、ねじりスプリング４０の弾性力により全開位置（イ）に揺動するように設けられている。
なお、この第２の実施例では、全開位置（イ）が第１の位置に相当し、全閉位置（ロ）が第２の位置に相当している。
【００１４】
ねじりスプリング４０は、コイル部４００２と、コイル部４００２の一端から延在する第１脚部４００４と、コイル部４００２の他端から延在する第２脚部４００６とを有している。
フレーム１６からピン４２が突設され、このピン４２はコイル部４００２に挿入されている。
ピン４２と支軸３６とは偏位した箇所に設けられている。
ねじりスプリング４０の第１脚部４００４は、蓋板３０の係止部３００２に係止され、第２脚部４００６はフレーム３４の係止部３４０２に係止され、これにより蓋板３０はねじりスプリング４０（コイル部４００２）の弾性力により全開位置（イ）に向けて付勢されている。
【００１５】
図４に示すように、ねじりスプリング４０は、全閉位置（ロ）において、コイル部４００２の内周とピン４２の外周との間に隙間が確保されるように構成されている。
より詳細には、コイル部４００２の内周とピン４２の外周とで形成される隙間が、コイル部４００２の弾性力により、ピン４２の直径方向の両側において一方の隙間Ｓ１が他方の隙間Ｓ２よりも大きい寸法になるように配設され、本実施の形態では、他方の隙間Ｓ２がゼロとなり、コイル部４００２の内周とピン４２の外周とが当接するように構成されている。
【００１６】
また、図３に示すように、全閉位置（ロ）から全開位置（イ）への揺動時に、蓋板３０の係止壁３０１０が、隙間Ｓ１が位置するコイル部４００２の部分４００２Ａに当接し、ねじりスプリング２０の弾性力に抗して隙間Ｓ１をなくす方向にコイル部４００２を変位させ、コイル部４００２の部分４００２Ａをピン４２の外周に当接させるように構成されている。
そして、係止壁３０１０がコイル部４００２の部分４００２Ａを介してピン４２に当接することで、蓋板３０はそれ以上全閉位置（ロ）から全開位置（イ）方向に向けて移動できなくなる。
したがって、係止壁３０１０がコイル部４００２の部分４００２Ａを介してピン４２に当接することで蓋板３０の全開位置（イ）が決定され、ピン４２は蓋板３０の全開位置（イ）を決定するストッパとして機能する。
なお、蓋板３０が全開位置（イ）に位置すると、コイル部４００２の内周とピン４２の外周との間に隙間Ｓ２が生じる。
【００１７】
本実施の形態によれば、蓋板３０の全開位置（イ）への移動時に、蓋板３０の係止壁３０１０が、隙間Ｓ１が位置するコイル部４００２の部分４００２Ａに当接し、ねじりスプリング４０の弾性力に抗してコイル部４００２をピン４２の直径方向に変位させ、コイル部４００２の部分４００２Ａをピン４２の外周に当接させて蓋板３０が全開位置（イ）となる。
したがって、蓋板３０の係止壁３０１０がねじりスプリング２０の弾性力に抗してコイル部４００２を変位させることで、蓋板３０の全開位置（イ）への移動時の衝撃が緩和される。
すなわち、蓋板３０を全開位置（イ）へ移動させるためのねじりスプリング４０を利用することで、クッション材などのような衝撃緩衝材を設けることなく衝撃を緩和でき、したがって、何ら部品点数を増やすことなく蓋板３０の全開位置（イ）への移動時の衝突音を減少できる。
また、蓋板３０は第１の実施の形態のように直線移動ではなく揺動するので、全開位置（イ）の直前で、蓋板３０の揺動速度が急激に減速され、蓋板３０の動きに落ち着いた高級感を与えることが可能となる。
【００１８】
なお、上記の実施の形態では、操作ボタンや開閉蓋に本発明を適用した場合について説明したが、本発明は、往復直線移動や往復揺動する移動体に広く適用可能である。
【図面の簡単な説明】
【００１９】
【図１】録音ボタンおよび再生ボタンが第１の位置に位置している状態の平面図である。
【図２】録音ボタンおよび再生ボタンが第２の位置に位置している状態の平面図である。
【図３】蓋板を開けＣＤ挿入口を開放させた全開状態の側面図である。
【図４】蓋板でＣＤ挿入口を閉じた全閉状態の側面図である。
【符号の説明】
【００２０】
１２……録音ボタン、１４……再生ボタン、２０、４０……ねじりスプリング、２００２、４００２……コイル部、２００４、４００４……第１脚部、２００６、４００６……第２脚部、２２……ピン、３０……蓋板。
【図１】
2007010095.tif 000003
【図２】
2007010095.tif 000004
【図３】
2007010095.tif 000005
【図４】
2007010095.tif 000006